(57)【要約】      （修正有）【課題】年齢や体形の大小の異なる子供に幅広く対応する安全座椅子の構造を提供する。【解決手段】背凭れ１０上に二つ以上の異なる内径を具有する囲桿１１a，１１b，１１c，１１dを枢設し、各囲桿はそれぞれ連結する直桿と横桿とから構成し、使用していない時は該囲桿が該背凭れ側に折り畳まれて該背凭れの一部となるようにする。また、直桿と平行な副桿を横桿と独立に回動可能に設けることにより、肘掛として使用可能とすることで、各年齢や体形の者に合せて使用できる。【選択図】図２
2005177472.tif 000002
【特許請求の範囲】
【請求項１】
シートと背凭れを具有し、該背凭れ上には二つ以上の異なる内径を具有する大小の囲桿が枢設されており、該囲桿には連結して一体となっている直桿と横桿とが含まれることを特徴とする年齢及び体形の大小が異なる者に適応する安全座椅子の構造。
【請求項２】
該背凭れには三つの囲桿が枢設されていることを特徴とする請求項１記載の年齢及び体形の大小が異なる者に適応する安全座椅子の構造。
【請求項３】
該背凭れには四つの囲桿が枢設されていることを特徴とする請求項１記載の年齢及び体形の大小が異なる者に適応する安全座椅子の構造。
【請求項４】
該囲桿の内、小さい囲桿は大きい囲桿の内側に収容されることにより、該背凭れの一部になることを特徴とする請求項１記載の年齢及び体形の大小が異なる者に適応する安全座椅子の構造。
【請求項５】
該囲桿の横桿上には該囲桿の直桿と平行な副桿が連結しており、該直桿と横桿と副桿とで略コの字型を形成することを特徴とする請求項１記載の年齢及び体形の大小が異なる者に適応する安全座椅子の構造。
【請求項６】
該副桿は該横桿とは連結しておらず、該副桿の一端が該背凭れ上に枢設されることにより、単独で肘掛として使用可能とされることを特徴とする請求項５記載の年齢及び体形の大小が異なる者に適応する安全座椅子の構造。
【請求項７】
該副桿と該背凭れとは関節装置によって枢設されていることを特徴とする請求項５記載の年齢及び体形の大小が異なる者に適応する安全座椅子の構造。
【請求項８】
該囲桿と該背凭れとは関節装置によって枢設されていることを特徴とする請求項１記載の年齢及び体形の大小が異なる者に適応する安全座椅子の構造。
【請求項９】
該シート上には安全保護ベルトが設けられており、該安全保護ベルト上には連結具が設けられており、該背凭れ上には該連結具に対応した連結具が設けられていることにより、両該連結具を係合して使用することを特徴とする請求項１記載の年齢及び体形の大小が異なる者に適応する安全座椅子の構造。
【請求項１０】
該シート上には凹型溝が設けられ、且つ該凹型部は安全保護ベルトの輪郭とほぼ等しく形成することにより、使用しない時には該安全保護ベルトが該シートの凹型部内に収容されて該シートが完全な形状を呈することを特徴とする請求項９記載の年齢及び体形の大小が異なる者に適応する安全座椅子の構造。
【請求項１１】
該安全保護ベルト上には固定部が設けられており、該固定部上には二本の安全ベルトが設けられ、各該安全ベルトの末端に設けられた連結具が、該背凭れ上に設けられた該連結具に対応する孔に挿入されて連結されることを特徴とする請求項９記載の年齢及び体形の大小が異なる者に適応する安全座椅子の構造。
【請求項１２】
該シート上には収容凹部が設けられ、該収容凹部には固定部と安全ベルトが収容されることを特徴とする請求項１１記載の年齢及び体形の大小が異なる者に適応する安全座椅子の構造。
【発明の詳細な説明】
【技術分野】
【０００１】
本発明は、安全座椅子の構造に係り、特に車両等に設置され、異なる年齢や体形に応じて心地よく安全に使用できる年齢及び体形の大小が異なる者に適応する安全座椅子の構造に関わる。
【背景技術】
【０００２】
チャイルドシート等と呼ばれている現在の安全座椅子の構造においては、幼児や児童が乗車する場合、安全を確保すべく車両のシートに設置することが義務付けられている。
【特許文献１】特開２００４−１２２９２３号公報
【発明の開示】
【発明が解決しようとする課題】
【０００３】
しかし上述のような公知の安全座椅子の構造は、車内の狭いスペースを占領すること、価格は高いが子供の成長に合わせて調整が行えないため子供が大きくなれば買い替えなければならないこと、等の欠点がある。更に必要がなくなった際には、ゴミとなり環境破壊問題に繋がってしまう。
そこで上述の欠点に鑑み、安全であると同時に環境保護に呼応し、年齢や体形の大小の異なる子供に幅広く対応すべく、本発明の年齢及び体形の大小が異なる者に適応する安全座椅子の構造を提供する。
【課題を解決するための手段】
【０００４】
背凭れ上に二つ以上の異なる内径を具有する囲桿を枢設し、該囲桿には連結する直桿と横桿とを設け、使用していない際は該囲桿が該背凭れ側に折り畳まれて該背凭れの一部となるようにする。
【発明の効果】
【０００５】
本発明によると、スペースの有効利用が考慮されており、資材の無駄を省くべく、子供の成長に合わせて使用できる安全座椅子の構造を提供することに成功した。
【発明を実施するための最良の形態】
【０００６】
図１に示すように、本発明の主な構造にはシート２０と背凭れ１０が含まれ、該背凭れ１０上には二つ以上の異なる内径を具有し大小の異なる囲桿１１（１１a，１１b，１１c，１１d）が枢設されている。各囲桿１１にはこれに連なって一体となっている直桿１１０と横桿１１１がそれぞれに設けられている。該囲桿１１は平常では該背凭れ１０に張り付いた状態で該背凭れ１０の一部分となっており、使用の際には異なる囲桿１１（１１a，１１b，１１c，１１d）を選択して使用することで、各年齢や体形の者に合わせて使用するものとする。
【０００７】
該背凭れ１０上に三つの囲桿１１a，１１b，１１cを枢設した場合では、使用者は子供の体形によって該囲桿１１a，１１b，１１cから適切なものを選択して該背凭れ１０より出し、子供を保護する目的で使用する。
図１に示すように、該背凭れ１０上に四つの囲桿１１a，１１b，１１c，１１dを枢設した場合においては、上述同様に使用者が適切なものを選択して該背凭れ１０より出し、子供を保護する目的で使用する。
平常時、即ち使用しない場合には上述の囲桿１１a，１１b，１１c，１１dは該背凭れ１０の形状にぴったりと合うように収納され、スペースを取らない構造となっている。
【０００８】
図１に示すように、各囲桿１１a，１１b，１１c，１１dは、それぞれ水平な横桿１１１、直桿１１０及びこれと平行な副桿１１２から構成されており、即ちいずれも該直桿１１０と横桿１１１と副桿１１２とで略コの字型を形成している。
該副桿１１２は、該横桿１１とは連結しておらず、該副桿１１２の一端は該背凭れ１０上に枢設されており、該副桿１１２は単独で該背凭れ１０から展開して肘掛として使用できるようになっている。
【０００９】
図１，３に示すように、本発明の実施例においては、該囲桿１１a，１１b，１１c，１１d或いは副桿１１２と背凭れ１０とはロック機構を内蔵する関節装置１２によって枢設されているものとした場合、該囲桿１１a，１１b，１１c，１１d或いは副桿１１２を該背凭れ１０より展開して適当な角度で固定できるようにすると同時に、該囲桿１１a，１１b，１１c，１１d或いは副桿１１２は該背凭れ１０に対して折り畳んだり展開したりするよう角度の制限を行う。
【００１０】
また図２に示すように、該シート２０上には安全保護ベルト２１を設けてもよく、該安全保護ベルト２１上には連結具２１０を設け、該背凭れ１０上には該連結具２１０に対応する連結具１３を設け、該安全保護ベルト２１側の連結具２１０と該背凭れ１０上の連結具１３とを係合することにより、該安全保護ベルト２１が更に安全性を高めるべく子供の下半身を保護する。
該シート２０上に凹型部２２を設けた場合、即ち該凹型部２２は安全保護ベルト２１の輪郭とほぼ等しく設計し、該安全保護ベルト２１を使用しない場合に該シート２０の凹型部２２を該シート２０とを一体化することでスペースを取らない構造とする。
更に安全性を高めるべく、該安全保護ベルト２１上に固定部２３を設け、該固定座２３上には二本の安全ベルト２４を設け、各該安全ベルト２４の末端には連結具２５を設け、該背凭れ１０上にも該連結具２５に対応した孔１４を設けて係合することにより、該安全ベルト２４が子供の上半身及び肩を保護する。
また該シート２０上に収容凹部２６を設けた場合では、該収容凹部２６には該固定部２３と安全ベルト２４等を収容する個所としてもよい。
【００１１】
図２及び図４から図７に示すように、子供の体形の大小に合わせ、異なる囲桿１１a，１１b，１１c，１１dを選択して使用するが、実際の使用方法について以下に説明する。先ず使用者が選択した該囲桿を該背凭れ１０より展開して適当な角度付近にてやや押し戻し、こうすることで該関節装置１２のロック機構が作用して固定される。次に子供を該囲桿内に入れ、該シート２０上に座らせて背中を該背凭れ１０に凭れさせる。該シート２０上の凹型部２２にあった安全ベルト２１を取り、該安全ベルト２１の連結具２１０を該背凭れ１０の連結具１３と係合し、該安全ベルト２１上の固定部２３を上げ、該固定部２３上の安全ベルト２４を子供の上半身及び肩に掛け、該安全ベルト２４の連結具２５を該背凭れ１０上の孔１４にて固定する。こうして子供をシート上に安全に座らせる動作を完成する。
また図２に示すように、カップホルダ１５を設けることでは哺乳瓶等を置くのに便利な個所を提供する。
図８に示すように、該副桿１１２と横桿１１１とは、連結しておらず分かれたものとして設計され、該副桿１１２は単独で該背凭れ１０から展開して肘掛として使用できるものとする。
【図面の簡単な説明】
【００１２】
【図１】本発明における収納状態を示す外観説明図である。
【図２】本発明において一部のみを展開した様子を示す外観説明図である。
【図３】本発明における断面図である。
【図４】本発明における使用法（１）の説明図である。
【図５】本発明における使用法（２）の説明図である。
【図６】本発明における使用法（３）の説明図である。
【図７】本発明における使用法（４）の説明図である。
【図８】本発明における使用法（５）の説明図である。
【符号の説明】
【００１３】
１０  背凭れ
１１a，１１b，１１c，１１d  囲桿
１１０  直桿
１１１  横桿
１１２  副桿
１２  関節装置
１３  連結具
１４  孔
１５  カップホルダ
２０  シート
２１  安全保護ベルト
２１０  連結具
２２  凹型部
２３  固定部
２４  安全ベルト
２５  連結具
２６  収容凹部
【図１】
2005177472.tif 000003
【図２】
2005177472.tif 000004
【図３】
2005177472.tif 000005
【図４】
2005177472.tif 000006
【図５】
2005177472.tif 000007
【図６】
2005177472.tif 000008
【図７】
2005177472.tif 000009
【図８】
2005177472.tif 000010